(57)【特許請求の範囲】
【請求項１】
円柱形状の門柱の周方向における一部に配線孔を設け、筒状の取付け台座を配線孔を覆うように門柱に対して回転自在に被嵌すると共に固着手段により門柱に固着自在とし、門柱の内部を通る電気コードを取付け台座に取付けた門廻りの電気器具と接続して成る門柱への電気器具取付け構造であって、取付け台座を半割り筒状の台座本体と半割り筒状の挟み込み部材とで構成し、台座本体の内側面に門柱の断面円とほぼ同じ半径を有する略水平断面半円状の半円状溝部を形成し、該台座本体の半円状溝部に配線孔と連通する周溝を周方向に設け、台座本体に周溝に連通し且つ取付け台座外部に開口する通し孔を設け、固着手段によって台座本体と挟み込み部材とで門柱を挟み込んで固着し、門柱の内部を通り配線孔、周溝、通し孔に挿通した電気コードを台座本体に取付けた門廻りの電気器具と接続して成ることを特徴とする門柱への電気器具取付け構造。
【請求項２】
挟み込み部材の内側面に断面略半円状の半円状溝部を形成し、該半円状溝部に両端部が上記台座本体の周溝の両端部に連通する周溝を設け、台座本体の半円状溝部及び挟み込み部材の半円状溝部で門柱を被嵌し、固着手段によって台座本体と挟み込み部材とで門柱を挟み込んで固着して成ることを特徴とする請求項１記載の門柱への電気器具取付け構造。
【発明の詳細な説明】
【０００１】
【発明の属する技術分野】
本発明は、門柱への電気器具取付け構造に関するものである。
【０００２】
【従来の技術】
従来から門柱１′にドアホン７や照明器具、カメラ等の門廻りの電気器具を取付けることが知られており、以下に従来の門柱１′への電気器具取付け構造を示す。図４に示すように四角柱形状の門柱１′の一面には配線孔２′を設けてあり、配線孔２′付近にはねじ取付け孔２２が設けてある。門柱１′の一面には配線孔２′付近を覆うように取付け台座３′が取付られており、取付け台座３′はねじ取付け孔２２と一致する箇所にねじ具挿入孔２３を有し、また取付け台座３′は配線孔２′と連通する通し孔５′を有している。取付け台座３′の一面には門廻りの電気器具であるドアホン７を取付けている。ドアホン７には通し孔５′と連通する電気コード孔１４と、ねじ具挿入孔２３と一致する個所にねじ具通し孔１５を設けている。門柱１′の内部には電源コードや信号線等の電気コード６が通っており、この電気コード６は門柱１′の配線孔２′、取付け台座３′の通し孔５′、ドアホン７の電気コード孔１４を順次通りドアホンに結線されている。
【０００３】
しかしながら、上記従来の門柱１′への電気器具取付け構造における門柱１′は設置面に設置されており、門柱１′の設置する向きによって門廻りの電気器具の向く方向が決まってしまうため、門柱１′を施工して門廻りの電気器具を取付けた後は門廻りの電気器具の向く方向を変更することができなかった。
【０００４】
【発明が解決しようとする課題】
本発明は上記の点に鑑みてなされたものであり、その目的とするところは、門廻りの電気器具の向きを容易に任意の方向に変更できる門柱への電気器具取付け構造を提供することを課題とするものである。
【０００５】
【課題を解決するための手段】
上記課題を解決するために本発明に係る門柱への電気器具取付け構造は、円柱形状の門柱１の周方向における一部に配線孔２を設け、筒状の取付け台座３を配線孔２を覆うように門柱１に対して回転自在に被嵌すると共に固着手段により門柱１に固着自在とし、門柱１の内部を通る電気コード６を取付け台座３に取付けた門廻りの電気器具と接続して成る門柱への電気器具取付け構造であって、取付け台座３を半割り筒状の台座本体８と半割り筒状の挟み込み部材９とで構成し、台座本体８の内側面に門柱１の断面円とほぼ同じ半径を有する略水平断面半円状の半円状溝部１０ａを形成し、該台座本体８の半円状溝部１０ａに配線孔２と連通する周溝４ａを周方向に設け、台座本体８に周溝４ａに連通し且つ取付け台座３外部に開口する通し孔５を設け、固着手段によって台座本体８と挟み込み部材９とで門柱１を挟み込んで固着し、門柱１の内部を通り配線孔２、周溝４ａ、通し孔５に挿通した電気コード６を台座本体８に取付けた門廻りの電気器具と接続して成ることを特徴とするものである。
【０００６】
上記のように円柱形状の門柱１に取付け台座３を回転自在に設けることで、門柱１施工後においても固着手段を緩めるだけで取付け台座３と門廻りの電気器具の向きを任意の方向に変更して固着することができ、また取付け台座３に周溝４を設けたことで、取付け台座３を回転した場合においても電気コード６が周溝４を通って通し孔５より門廻りの電気器具に結線された状態にあるため、門柱１に対して取付け台座３と門廻りの電気器具とを回転できるにもかかわらず、電気コード６を取付け台座３内に仕舞うことができる。また取付け台座３を挟み込み部材９と台座本体８とで構成したことで、台座本体８と挟み込み部材９とで門柱１を挟み込んで固着することができるようになる。
【０００７】
また請求項２記載の門柱への電気器具取付け構造は請求項１記載の門柱への取付け構造において、挟み込み部材９の内側面に断面略半円状の半円状溝部１０ｂを形成し、該半円状溝部１０ｂに両端部が上記台座本体の周溝４ａの両端部に連通する周溝４ｂを設け、台座本体８の半円状溝部１０ａ及び挟み込み部材９の半円状溝部１０ｂで門柱１を被嵌し、固着手段によって台座本体８と挟み込み部材９とで門柱１を挟み込んで固着して成ることを特徴とするものである。
【０００８】
上記のように取付け台座３を挟み込み部材９と台座本体８とで構成したことで、台座本体８と挟み込み部材９とで門柱１を挟み込んで固着することができるようになり、また台座本体８と挟み込み部材９とに半円状溝部１０を設けたことで単純な構造で取付け台座３を門柱１に対して回転自在にすることができる。
【０００９】
【発明の実施の形態】
以下、本発明を添付図面に示す実施形態に基づいて説明する。なお以下に示す実施形態における門柱１は門扉を取付けたものだけに限定されず、門扉を取付けていないものも含んでおり、また門柱１に取付ける門廻りの電気器具としてドアホン７を用いているが、ドアホン７だけに限定されるわけではなく、照明器具やカメラ等の種々の門廻りの電気器具においても同様の作用効果が得られるものである。さらに取付け台座３と門柱１との固着手段としてねじ具１１を用いているが、これに限定されず、従来から知られている種々の固着手段を用いてもよい。
【００１０】
図１に示すように本実施形態における門柱１は円柱形状を有し、門柱１の下部は建物の玄関先等に埋め込まれた状態で設置されており、この門柱１内部には信号線や電源コード等の電気コード６が通っている。門柱１の上部の周方向における一部には配線孔２を穿孔しており、配線孔２より門柱１内部の電源コード６を出すことができるようになっている。
【００１１】
上記門柱１に取付けるドアホン７はドアホン本体１２とカバー部材１３とで構成されている。ドアホン本体７の中央部には電源コード６を通すための電気コード孔１４を設けており、電気コード孔１４の上下にはそれぞれねじ具通し孔１５を設けている。上記ドアホン本体１２にカバー部材１３を固着することでドアホン７が形成される。
【００１２】
上記門廻りの電気器具であるドアホン７を門柱１に取付ける場合は以下に示すような取付け台座３を用いる。取付け台座３は半割り筒状の台座本体８と半割り筒状の挟み込み部材９とで構成されている。
【００１３】
台座本体８の外側面は電気器具取付け部１６とし、電気器具取付け部１６の中央部には門柱１の電源コード６の径よりもやや大きめの通し孔５が穿孔しており、通し孔５の上下にはそれぞれ台座本体８にドアホン７を取付けるための取付け手段に相当するめねじ部１８を設けている。台座本体８の内側面（台座本体８と挟み込み部材９との接続時における対向面）には上下方向における全長に亘って門柱１の断面円とほぼ同じ半径を有する略水平断面半円状の半円状溝部１０ａが形成されている。半円状溝部１０ａの通し孔５と同じ高さの部分には周方向の全長に亘り電気コード６を通すための周溝４ａを設けてあり、周溝４ａは前述した通し孔５と連通している。また台座本体８の内側面の四隅にはねじ具取付け部１７を設けている。
【００１４】
一方挟み込み部材９の内側面（台座本体８と挟み込み部材９との接続時における対向面）には上下方向における全長に亘って門柱１の断面円とほぼ同じ半径を有する略水平断面半円状の半円状溝部１０ｂが形成されている。半円状溝部１０ｂの上下方向における中央部分には周方向の全長に亘り周溝４ｂを設けている。また挟み込み部材９の内側面の四隅にはねじ具用孔１９を貫通して設けており、外周面には内側面のねじ具用孔１９と一致する部分にざぐりを設けている。
【００１５】
上記台座本体８と挟み込み部材９とを用いて門柱１にドアホン７を固着する場合を以下に記す。門柱１の内部を通り、配線孔２、周溝４ａ、４ｂ、通し孔５、電気コード孔１４に順次挿通する電気コード６をドアホン７に接続し、台座本体３と挟み込み部材９とを門柱１に固着すると共に台座本体８にドアホン７を固着する。
【００１６】
台座本体８と挟み込み部材９とを門柱１に固着する場合は、台座本体８と挟み込み部材９の両周溝４ａ、４ｂと配線孔２とが同じ高さになる（両周溝４ａ、４ｂが門柱１の配線孔２と連通する）ように台座本体８と挟み込み部材９の両半円状溝部１０ａ、１０ｂにて門柱１を被嵌し、挟み込み部材９側からねじ具１１をねじ具用孔１９に通し、ねじ具１１の先端をねじ具取付け部１７にねじ止めする。この場合台座本８体の周溝４ａの周方向における両端部と挟み込み部材９の周溝４ｂの周方向における両端部とは連通しており、台座本体８の周溝４ａと挟み込み部材９の周溝４ｂとで周溝４を構成し、該周溝４は環状に連続している。
【００１７】
挟み込み部材９にドアホン７を固着する場合は、挟み込み部材９の通し孔５とドアホン本体１２の電源コード孔１４とが連通するように位置を合わせて当接した後、ドアホン７側よりねじ具２０をねじ具通し孔１５に通し、ねじ具２０の先端を台座本体８に設けためねじ部１８にねじ止めする。
【００１８】
上記のように門柱１に取付け台座３を介してドアホン７を固着した場合は、門柱１の配線孔２、台座本体８の周溝４ａ、挟み込み部材９の周溝４ｂと通し孔５、ドアホン本体１２の電気コード孔１４は全て連通しており、門柱１内の電気コード６をドアホン７に結線した状態で門柱１にドアホン７を固着することができる。また台座本体８と挟み込み部材９の両半円状溝部１０ａ、１０ｂは門柱１とほぼ同じ半径を有する略水平断面半円状であるため、台座本体８と挟み込み部材９とを固着しているねじ具１１を緩めるだけで、取付け台座３を回転自在にすることができる。
【００１９】
門柱１にドアホン７を固着した施工後にドアホン７の向く方向を変更したい場合は、以下に示すようにして行う。なお以下に記す説明ではわかりやすくするために施工後の初期状態を門柱１の配線孔２と台座本体８の通し孔５とが一致するように配置してあるが、初期状態において配線孔２と通し孔５とが周方向にずれていてもよく、また図２、３では台座本体８にドアホン７を取付けていないが、ドアホン７を取付けた状態においても取付け台座３の回転は可能である。図２に示すように施工後の初期状態では門柱１の配線孔２と台座本体８の通し孔５とが門柱１の周方向において同じ方向を向いており、配線孔２と通し孔５とは取付け台座３側から見て一致している。上記のような状態にある取付け台座３を回転する場合は、まず台座本体８と挟み込み部材９とを固着しているねじ具１１を緩め、取付け台座３を回転可能な状態にする。その後取付け台座３を回転し図３に示すように取付け台座３の向く方向を変更する。この時取付け台座３の回転によって通し孔５は配線孔２と周方向においてずれた状態になるが、配線孔２より出た電気コード６は台座本体８の周溝１０ａと挟み込み部材９の周溝１０ｂとで構成された周溝４を通って通し孔５より取付け台座３の外部に出すことができる。取付け台座３の向く方向を変更した後、台座本体８と挟み込み部材９とをねじ具１１にて固着することで、取付け台座３の向く方向を変更した状態で門柱１に固定することができる。このようにして門柱１施工後においても取付け台座３の電気器具取付け部１６の向きを門柱１の施工された向きにかかわらず変更することができ、ドアホン７等の門廻りの電子機器を任意の方向に変更することができる。また電気コード６は常に取付け台座３内に仕舞われた状態のまま門柱１に対して取付け台座３を回転することができる。
【００２０】
【発明の効果】
上記のように本発明の請求項１記載の発明にあっては、円柱形状の門柱に取付け台座を回転自在に設けることで、門柱施工後においても固着手段を緩めるだけで簡単に取付け台座と門廻りの電気器具の向きを任意の方向に変更し固着することができ、また取付け台座に周溝を設けことで、門柱に対して取付け台座と門廻りの電気器具を回転させることができるにもかかわらず、電気コードを外部に露出することなく取付け台座内に仕舞うことができるので、外観が美しく、また電気ケーブルが天候の影響を受けにくくなり劣化しにくくなる。また取付け台座を挟み込み部材と台座本体とで構成したことで、台座本体と挟み込み部材とで門柱を挟み込んで簡単に固着することができるようになる。また台座本体に半円状溝部を設けたことで単純な構造で取付け台座を回転自在にすることができ、コストダウンにつながる。
【００２１】
また請求項２記載の発明にあっては、上記請求項１記載の発明の効果に加えて、取付け台座を挟み込み部材と台座本体とで構成したことで、台座本体と挟み込み部材とで門柱を挟み込んで簡単に固着することができるようになり、また台座本体と挟み込み部材とに半円状溝部を設けたことで単純な構造で取付け台座を回転自在にすることができ、コストダウンにつながる。
【図面の簡単な説明】
【図１】本発明の一実施形態を示し、門柱への電気器具取付け構造の分解斜視図である。
【図２】同上の回転前の初期状態における断面図である。
【図３】同上の回転後の断面図である。
【図４】従来の門柱への電気器具取付け構造を示す分解斜視図である。
【符号の説明】
１  門柱
２  配線孔
３  取付け台座
４  周溝
５  通し孔
６  電気コード
７  ドアホン
８  台座本体
９  挟み込み部材
１０  半円状溝部
【図１】
0003603838.tif 000002
【図２】
0003603838.tif 000003
【図３】
0003603838.tif 000004
【図４】
0003603838.tif 000005